【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
被写体を撮像して動画データを生成する撮像手段と、
前記撮像手段の撮影方向または撮像装置の姿勢を検知する検知手段と、
前記撮像手段により生成された動画データを一時的に記憶する記憶手段と、
静止画の撮影を指示する指示手段と、
前記指示手段により静止画の撮影が指示されたタイミングから所定時間分遡った動画データを前記記憶手段から読み出して、記録媒体に記録する記録手段とを備え、
前記記録手段は、前記検知手段が検知した前記撮影方向または前記撮像装置の姿勢に基づいて、前記所定時間分の動画データの少なくとも一部を削除して前記記録媒体に記録することを特徴とする撮像装置。
【請求項２】
前記検知手段で検知した前記撮影方向の変化量、または前記撮像装置の姿勢の変化量を算出する第１の算出手段をさらに備え、
前記記録手段は、前記第１の算出手段により算出された変化量が所定の基準を超えているタイミングより以前のデータを除いた動画データを前記記録媒体に記録することを特徴とする請求項１に記載の撮像装置。
【請求項３】
前記検知手段で検知した前記撮影方向の単位時間当たりの変化量、または前記撮像装置の姿勢の単位時間当たりの変化量を算出する第２の算出手段をさらに備え、
前記記録手段は、前記第２の算出手段により算出された単位時間当たりの変化量が所定の基準を超えているタイミングより以前のデータを除いた動画データを前記記録媒体に記録することを特徴とする請求項１に記載の撮像装置。
【請求項４】
被写体を撮像して動画データを生成する撮像手段と、
前記撮像手段の撮影方向または撮像装置の姿勢を検知する検知手段と、
前記撮像手段により生成された動画データを一時的に記憶する記憶手段と、
静止画の撮影を指示する指示手段と、
前記指示手段により静止画の撮影が指示されたタイミングから所定時間分遡った動画データを前記記憶手段から読み出して、記録媒体に記録する記録手段とを備え、
前記記録手段は、前記検知手段が検知した前記撮影方向に関する情報または前記撮像装置の姿勢に関する情報を、前記動画データと関連付けて記録することを特徴とする撮像装置。
【請求項５】
前記検知手段で検知した前記撮影方向の変化量、または前記撮像装置の姿勢の変化量を算出する第１の算出手段をさらに備え、
前記記録手段は、前記第１の算出手段により算出された変化量の情報を前記動画データと関連付けて前記記録媒体に記録することを特徴とする請求項４に記載の撮像装置。
【請求項６】
前記検知手段で検知した前記撮影方向の単位時間当たりの変化量、または前記撮像装置の姿勢の単位時間当たりの変化量を算出する第２の算出手段をさらに備え、
前記記録手段は、前記第２の算出手段により算出された単位時間当たりの変化量の情報を前記動画データと関連付けて前記記録媒体に記録することを特徴とする請求項４に記載の撮像装置。
【請求項７】
前記記録手段は、前記検知手段の検知結果に基づいて、撮影方向または前記撮像装置の姿勢が所定の基準よりも大きな変化が有ったことを示す情報を前記動画データと関連付けて前記記録媒体に記録する請求項４〜６の何れか１項に記載の撮像装置。
【請求項８】
動画データと、前記動画データを撮影したときの撮影方向に関する情報、又は撮像装置の姿勢に関する情報とが関連付けて記録されている記録媒体から、前記撮影方向に関する情報、又は撮像装置の姿勢に関する情報を前記記録媒体から取得する取得手段と、
前記動画データを再生する場合に、前記取得手段によって取得された情報を解析した結果に基づいて、前記記録媒体に記録されている動画データのうち、少なくとも一部を除いて再生する再生手段とを備えることを特徴とする再生装置。
【請求項９】
前記再生手段は、前記撮影方向の変化量、又は前記撮像装置の姿勢の変化量を算出した結果に基づいて、前記記録媒体に記録されている動画データのうち、少なくとも一部を除いて再生することを特徴とする請求項８に記載の再生装置。
【請求項１０】
前記再生手段は、前記撮影方向の単位時間当たりの変化量、又は前記撮像装置の姿勢の単位時間当たりの変化量を算出した結果に基づいて、前記記録媒体に記録されている動画データのうち、少なくとも一部を除いて再生することを特徴とする請求項８に記載の再生装置。
【請求項１１】
前記再生手段は、前記撮影方向の変化または前記撮像装置の姿勢の変化が所定の基準よりも大きいタイミングより前の動画データは再生しないように制御することを特徴とする請求項８〜１０の何れか１項に記載の再生装置。
【請求項１２】
被写体を撮像して動画データを生成する撮像手段を備えた撮像装置の制御方法であって、
前記撮像手段の撮影方向または撮像装置の姿勢を検知する検知工程と、
前記撮像手段により生成された動画データを一時的に記憶手段に記憶する記憶工程と、
静止画の撮影を指示する指示工程と、
前記指示工程において静止画の撮影が指示されたタイミングから所定時間分遡った動画データを前記記憶手段から読み出して、記録媒体に記録する記録工程とを備え、
前記記録工程においては、前記検知工程において検知した前記撮影方向または前記撮像装置の姿勢に基づいて、前記所定時間分の動画データの少なくとも一部を削除して前記記録媒体に記録することを特徴とする撮像装置の制御方法。
【請求項１３】
被写体を撮像して動画データを生成する撮像手段を備えた撮像装置の制御方法であって、
前記撮像手段の撮影方向または撮像装置の姿勢を検知する検知工程と、
前記撮像手段により生成された動画データを一時的に記憶手段に記憶する記憶工程と、
静止画の撮影を指示する指示工程と、
前記指示工程において静止画の撮影が指示されたタイミングから所定時間分遡った動画データを前記記憶手段から読み出して、記録媒体に記録する記録工程とを備え、
前記記録工程においては、前記検知工程において検知した前記撮影方向に関する情報または前記撮像装置の姿勢に関する情報を、前記動画データと関連付けて記録することを特徴とする撮像装置の制御方法。
【請求項１４】
動画データと、前記動画データを撮影したときの撮影方向に関する情報、又は撮像装置の姿勢に関する情報とが関連付けて記録されている記録媒体から、前記撮影方向に関する情報、又は撮像装置の姿勢に関する情報を前記記録媒体から取得する取得工程と、
前記動画データを再生する場合に、前記取得工程において取得された情報を解析した結果に基づいて、前記記録媒体に記録されている動画データのうち、少なくとも一部を除いて再生する再生工程とを備えることを特徴とする再生装置の制御方法。
【手続補正２】
【補正対象書類名】明細書
【補正対象項目名】０００１
【補正方法】変更
【補正の内容】
【０００１】
本発明は、例えば、ムービーダイジェストによる動画データを得るために用いて好適な撮像装置、再生装置、撮像装置の制御方法、及び再生装置の制御方法に関する。
【手続補正３】
【補正対象書類名】明細書
【補正対象項目名】０００６
【補正方法】変更
【補正の内容】
【０００６】
本発明の撮像装置は、被写体を撮像して動画データを生成する撮像手段と、前記撮像手段の撮影方向または撮像装置の姿勢を検知する検知手段と、前記撮像手段により生成された動画データを一時的に記憶する記憶手段と、静止画の撮影を指示する指示手段と、前記指示手段により静止画の撮影が指示されたタイミングから所定時間分遡った動画データを前記記憶手段から読み出して、記録媒体に記録する記録手段とを備え、前記記録手段は、前記検知手段が検知した前記撮影方向または前記撮像装置の姿勢に基づいて、前記所定時間分の動画データの少なくとも一部を削除して前記記録媒体に記録することを特徴とする。